(57)【特許請求の範囲】
【請求項１】
天板の底面左右両側に天板の前後幅よりもやや短めの連結バーを備えるとともに、天板の底側には、天板と連結バーの間に両端のフランジを挟まれた状態にして板金製の棚材が固定され、左右の連結バーからは下向きに伸びるようにしてそれぞれ脚が設けられてその底部に添って設けた座板を介して床壁上に設置されるようにした学童、生徒などの地震避難用机において、前記左右の脚のうちの一方は、前後幅が前記連結バーの前後長の約半分程度とされた縦長板状の部材とされるとともに連結バーとは前後の位置関係において略同心状に配置されるようにしてその前後の端面が後方および前方へ引っ込んだ形になって前方および後方のそれぞれに空き空所が存するように設けられている一方、左右の脚のうちの他方は、前後複数本でそれら複数本のものが前後に離間して配置され、前記棚材には、耐震補助器具がその上端の取付盤を止め付けられることで装着され、この耐震補助器具は、前記取付盤から下向きに伸びる上のコラムとアジャスタ軸および下のコラムさらに下端の吸盤からなっていてアジャスタ軸を長さ調節することで吸盤が床壁側に吸着し得るように構成されていることを特徴とする地震避難用机。
【発明の詳細な説明】
【技術分野】
【０００１】  本発明は、地震避難用机に関する。
【背景技術】
【０００２】  学校の教室に設置される学童等の机は地震時の避難用に使用される。その避難の際の安全を考慮した机が、例えば、特許文献１で開示されている。
【先行技術文献】
【特許文献】
【０００３】
【特許文献１】  特開２００６−１５８９４０
【発明の概要】
【発明が解決しようとする課題】
【０００４】  上記特許文献１には、４本の脚支柱に天板を支持させてなるものにおいて、後方に位置する左右の脚支柱間、及び、左右に位置する前後の脚支柱間を、それぞれ互いに別体をなす幕板を介して連結し、更に、前記左右に位置する前後の脚支柱間を、天板下に潜り込んだ者が把持可能な位置に設けた掴まり手段を介して連結してなることを特徴とする耐震用学童机についての技術が開示されているが、この机は、脚支柱が４本配されているため、地震発生時に学童が避難しようとしても手前の２本の脚支柱が潜り込みを邪魔し、避難し遅れたり、脚支柱にぶつかったりするおそれがある。【０００５】  本発明は、このような従来の方法が有していた問題を解決しようとするものであり、避難する人が脚にぶつかったり避難し遅れたりすることなく、迅速かつ安全確実に避難することのできるだけでなく、地震被害から避難する人を有効に護ることができる地震避難用机を提供することを目的とする。
【課題を解決するための手段】
【０００６】  本発明は上記目的を達成するため、請求項１に記載の発明は、天板の底面左右両側に天板の前後幅よりもやや短めの連結バーを備えるとともに、天板の底側には、天板と連結バーの間に両端のフランジを挟まれた状態にして板金製の棚材が固定され、左右の連結バーからは下向きに伸びるようにしてそれぞれ脚が設けられてその底部に添って設けた座板を介して床壁上に設置されるようにした学童、生徒などの地震避難用机において、前記左右の脚のうちの一方は、前後幅が前記連結バーの前後長の約半分程度とされた縦長板状の部材とされるとともに連結バーとは前後の位置関係において略同心状に配置されるようにしてその前後の端面が後方および前方へ引っ込んだ形になって前方および後方のそれぞれに空き空所が存するように設けられている一方、左右の脚のうちの他方は、前後複数本でそれら複数本のものが前後に離間して配置され、前記棚材には、耐震補助器具がその上端の取付盤を止め付けられることで装着され、この耐震補助器具は、前記取付盤から下向きに伸びる上のコラムとアジャスタ軸および下のコラムさらに下端の吸盤からなっていてアジャスタ軸を長さ調節することで吸盤が床壁側に吸着し得るように構成されていることを特徴とする。
【発明の効果】
【０００７】  上述したように本発明の地震避難用机は、天板の底面左右両側に天板の前後幅よりもやや短めの連結バーを備えるとともに、天板の底側には、天板と連結バーの間に両端のフランジを挟まれた状態にして板金製の棚材が固定され、左右の連結バーからは下向きに伸びるようにしてそれぞれ脚が設けられてその底部に添って設けた座板を介して床壁上に設置されるようにした学童、生徒などの地震避難用机において、前記左右の脚のうちの一方は、前後幅が前記連結バーの前後長の約半分程度とされた縦長板状の部材とされるとともに連結バーとは前後の位置関係において略同心状に配置されるようにしてその前後の端面が後方および前方へ引っ込んだ形になって前方および後方のそれぞれに空き空所が存するように設けられている一方、左右の脚のうちの他方は、前後複数本でそれら複数本のものが前後に離間して配置され、前記棚材には、耐震補助器具がその上端の取付盤を止め付けられることで装着され、この耐震補助器具は、前記取付盤から下向きに伸びる上のコラムとアジャスタ軸および下のコラムさらに下端の吸盤からなっていてアジャスタ軸を長さ調節することで吸盤が床壁側に吸着し得るように構成されていることを特徴とするので、避難する人が脚にぶつかったり避難し遅れたりすることなく、迅速かつ安全確実に避難することができるだけでなく、地震被害から避難する人を有効に護ることができる地震避難用机を提供することができる。
【図面の簡単な説明】
【０００８】
【図１】本発明の地震避難用机の一実施形態を図２のＡ−Ａ線に沿って示す横断面図。
【図２】図１の手前側からみた正面図。
【図３】図２の左側面図。
【図４】提案例を図５のＢ−Ｂ線に沿って示す横断面図。
【図５】図４の手前側からみた正面図。
【図６】図５の左側面図。
【図７】他の提案例を図８のＣ−Ｃ線に沿って示す横断面図。
【図８】図７の手前側からみた正面図。
【図９】図８の左側面図。
【図１０】地震避難用机の他の提案例を示す左側面図。
【図１１】図１０のＤ方向からの矢視図。
【図１２】図１０の提案例の避難前準備の様子を示す作用説明図。
【図１３】図１０の提案例の避難に入る際の様子を示す作用説明図。
【図１４】図１０のＥ−Ｅ線に対応して示す拡大断面図。
【図１５】図１１のＦ−Ｆ線拡大断面図。
【図１６】図１２に対応してその要部を拡大して示す断面図。
【図１７】天板の開閉ロック機構の他の提案例を示す平面図。
【図１８】図１７のＧ−Ｇ線断面図。
【図１９】開閉ロック機構を開状態にする際の様子を示す断面図。
【図２０】天板を閉状態にする際の様子を示す断面図。
【図２１】生徒机の避難方式を示す側面図。
【図２２】図２１の生徒机の避難要領を示す側面図。
【図２３】地震避難用机についての従来例を示す正面図。
【図２４】図２３の机および椅子の左側面図。
【図２５】地震避難用机についての他の提案例を示す正面図。
【図２６】図２５の机および椅子の左側面図。
【図２７】地震避難用机についての他の提案例を示す正面図。
【図２８】図２７の机および椅子についての左側面図。
【図２９】机および椅子の他の提案例を示す平面模式図。
【図３０】耐震型避難机についての他の提案例を示す左側面図。
【図３１】耐震型避難机についての左側面図。
【図３２】耐震型避難机についての左側面図。
【発明を実施するための形態】
【０００９】  以下、本発明の実施の一形態を図１〜図３に基づいて説明する。尚、各実施形態で説明する個別（細部を含む）の案は他の実施形態にも適用があるものとする。
【００１０】  これらの図において、１は座板で、帯長状の板材で左右一対で構成され、これら座板１は、床壁２の４箇所に配備した埋着プラグ３…に対応して開けられた通孔４を通じてねじ込まれた廻し環５付きのアンカーボルト６により脱着自在に床上に固定されるようになっている。これにより、地震による衝撃で机が盲動して被害が出るおそれがなくなり、しかも机が動かないので避難も安全確実に行われるようになる。
埋着プラグ３は、アンカーボルト６…を取り外して机を寄せ教室床の掃除をする場合に掃除具や靴などが当たって障害にならないように非突出状態に埋め込まれている。同プラグ３としては、ナットアンカー（本体打込み式）やケミアカル固着式ナットなどがある。
尚、掃除をする場合にアンカーボルト６…が紛失しないように座板１上に突設した一時置き筒７内に差し入れておくようにする。
【００１１】  左右の座板１，１間は、前方位置において底つなぎ板８で連結されている。この底つなぎ板８を介して机を床上に固定するようにしてもよい。
座板１の上には、１枚の左脚１０と前後一対の右脚１１とがそれぞれ立設固定されている。
右脚１１は、四角あるいは丸パイプの一対でなり、左脚１０は、角を丸くした矩形断面の筒体でなるが、木質の中実状をしたものでもよい。右脚１１は、前後のものがＵ字あるいは逆Ｕ字形をなす一体ものであってもよい。
【００１２】  左脚１０は、その手前側にコの字形をした切欠部（空き空所の一部を形成する）１２を備えて座板１の前後中間位置に固定されている。右脚１１は、地震発生時に上方からの負荷に有効に対抗できるように２本あるいは３本（４本でも可能）のガード役の脚として設けられている。
これら左右の脚１０，１１の上面には、連結バー１３が連結して設けられ、その上には、板金製の棚材１４がフランジを挟むようにして固定され、さらに、その上に天板１５が止着具により固定して設けられている。
【００１３】  前記左脚１０は、天板１５の前後幅よりやや短めの連結バー１３の長さＷ１の約半分の幅寸法Ｗ２をもち連結バー１３と略同心状に配置されている。この左脚１０は、図３の左上欄に示すように、最も前方に位置させてもよい。
また、この左脚１０は、図３の左欄下のように、パイプを曲げて一体枠状のものにしてもよい。さらに、前記実施形態では、左脚１０を一本ものとしたが、右脚１１の方を一本ものとしてもよい。この場合、左脚１０の上下にコの字型あるいはＬ字型断面などとした連結バー１３ａおよび１３ｂと溶接一体化しておき、同バー１３ａ、１３ｂを介して天板１５や座板１側に止めつけるようにすれば強度がある。
また、図２に示すように、机内には把持バー１６を設けてもよい。このバー１６は、一方を左脚１０に他方を棚材１４に固定したり、両端を棚材１４に固定してもよい。さらに、図２に示すように、机下の床上には避難した人が座ることができるクッション１７を用意できるようにしてもよい。このクッション１７は、いつもは棚材１４と把持バー１６との間に設けられ、地震時はそのクッション１４を外して床上に敷くようにしてもよい。
前記連結バー１３は図２の右欄および図３の左上欄のように曲げパイプで脚１１を形成すれば必要でなくなる。
尚、図２に示すように、棚材１４底面と床壁２との間に地震よる机の飛びを抑え机下への避難者を地震時の被害から護ることのできる耐震補助器具１７０を装備してもよい。同器具１７０は、上下のコラム１７１，１７２とその間のアジャスタ軸１７３とを備える。上のコラム１７１の上端には、棚材１４の中央に止着具１７４を介して止め付けることのできる取付盤１７５が固着され、下のコラム１７２の下端には吸盤１７６が取り付けられている。短くした耐震補助器具１７０は、取付盤１７５を棚材１４に止めつけることで装着され、ターンバックル式のアジャスタ軸１７３を通孔１７７にハンドル１７８を差し込んで回転させることで長く伸ばすことができ、それにより、下端の吸盤１７６は底壁２上に確実に吸着する。その結果、耐震補助器具１７０により机が飛ぶようなことはなくしかも上からの地震負荷に対して器具１７０が抵抗して下の避難者を護ることができるのである。図２の左上に示すように、吸盤１７６をより確実に固定させるため、粘着層材（あるいは接着剤）１７９により吸着受シート１８０を底壁２上に固定することもできる。吸盤１７６に代えて、図２の左下に示すように、金属やゴムあるいは樹脂などによる円板型の固定パッド１８１を備え、両面粘着（接着でもよい）方式の固定シート１８２に固定するようにしてもよい。固定パッド１８１は、図２３に示す脚受キャップ１１２を採用することができる。上下のコラム１７１，１７２は共通の円筒パイプを使用したが、長さなど仕様の異なるものでもよい。また、上のコラム１７１は、棚材１４に開けた孔を通じて通し取付盤１７５を天板１５に固定してもよい。この場合、器具１７０は棚材１４にも取り付け固定してもよい。これらの場合において、棚材１４は、従来のものより耐震効果のある強いものとすることがある。
【００１４】  図４ないし６は、提案例を示す。２０は座板で左右一対設けられて埋着プラグ２１に廻し環２２付きアンカーボルト２３により脱着自在に固定される。２４は左右の脚で、同脚２４は、天板２５の前後幅より少し狭い寸法の幅をもつ耐震板である。２６は棚材であり、これらでなる机は、左右の脚２４間を前部のつなぎバー２７…の複数本で耐震機能と障害物受け機能とをもって連結してあるとともに、両脚２４間には、それより後ろ側上部において把持バー２８により耐震機能をもって連結してある。
【００１５】  ２９はヘッドクッションで、頭を打たないようにするためのものである。このクッション２９は、２枚合わせにして下側１枚を面ファスナーを介して剥がして座クッションにすることができるようにしてもよい。図５の右欄の３０は止着具である。３１は座つなぎ板である。
【００１６】  図７ないし９は他の提案例を示す。同提案例において３４は座板で、埋着プラグにアンカーボルト３５をねじ込むことで脱着自在に固定される。３６は上つなぎ板で、３７は棚材、３８は天板であり、座板３４と上つなぎ板３６との間には、ガス入りの伸縮シリンダ３９が４本配備されている。
【００１７】  伸縮シリンダ３９は、シリンダ本体４０とピストン４１付きロッド４２ならびにバネ４３でなり、ピストン４１の周部には係合孔４４が開けられているとともに、この孔４４に係脱可能なリング４５付き係合ピン４６が設けられている。４７はエアー吸排プラグである。
【００１８】  通常は天板３８を押し下げ操作してバネ４３に抗しつつピストン４１下部の内蔵ガスを圧縮しながらピストン４１を押し下げることにより、係合ピン４６を係合孔４４に係入して勝手に上下しないロック状態を保っている。緊急地震警報や地震を感じた時点で、そのまま机下に避難するのでなく、まずリング４５．．．を全て引くことでバネ４３および圧縮ガスの反発力がピストン４１に作用し、天板３８が瞬時に持ち上がるようにする。すると、机の下空間は高い避難空間となって大きく屈むことなく避難しやすくなる。天板３８が上がった状態のまま避難しておくことで、上からの衝撃や負荷をガスやバネ４３が吸収し避難した者を有効に護ることができる。尚、棚材３７の底面にはクッション４８を装備しておいて天板３８が下がってきた際の安全を確保するようにする。また、棚材３７それ自体を弾性変形可能な構造にしてもよい。例えば、樹脂網材や樹脂多孔板などによる。４９は座つなぎ板で、座板３４間を連結するものである。シリンダ３９相互間は連結してもよい。前記シリンダ３９は４本組であったが、左右一対にしたり、左側など一側を単一本とし他側を２本とすることもある。
【００１９】  図１０ないし図１６は地震避難用机についての他の提案例を示す。これらの図に示すように、５５は鉄筋コンクリート製の床壁で、その上に地震避難用机が地震による揺れなどで動かないように固定して設置されている。床壁５５の適所には、図１４に示すように１つの机あたり１個の埋着プラグ５６が固着され、その上端は、室内掃除のときに掃除具や掃除する人の履物などが引っ掛からないように、床壁５５よりも突出しないようになっている。このプラグ５６の内径はｄ２とされている。５７は座板で、帯長状の板材で左右一対設けられており、この座板５７の一方のものに前記１個の埋着プラグ５６が対応するとともに、図１０のように一方の座板５７の前後中間位置には、図１４に断面を示すような前記直径ｄ２よりも３倍程度大きな内径ｄ３をもつ座孔５８が開けられ、さらに座板５７の上面には、透明で強度のある、例えば、通孔５９をもつ樹脂製の上板６０が取り付けられている。
【００２０】  座板５７の座孔５８を十分大きくしたのは、掃除などの際に机を移動して再びプラグ５６のある位置に座板５７の座孔５８を位置合わせする場合に座孔５８が十分に大きいと上からみてプラグ５６のロック孔５６ａ上に座孔５８を合わせやすくなることを考慮したものである。また、座板５７の上に透明な上板６０を設けたのは、座板（机）５７が地震で移動する幅を抑えるために通孔５９を設けるとともに、上板６０の下が見えないとアンカーピン６２をロック孔５６ａに入れにくいことから透明で見えるようにしたものである。
【００２１】  ６２はリング６３付きのアンカーピンで、同ピン６２はその直径ｄ１とされており、前記通孔５９はこのｄ１よりも少し大きく形成され、また前記ｄ３はｄ２よりも２倍程度大きく形成されている。ｄ１は、例えば、直径２０ｍｍ、ｄ２は４０ｍｍ、ｄ３は８０ｍｍとする。
アンカーピン６２は、１台の机当たり１本のみであるが、２本でもよく、この２本方式の場合、左右の座板５７にそれぞれ１本ずつとか、一方の座板５７に２本備えるなどする。
前記上板６０は省略してピン６２を直接プラグの孔５６ａに挿脱自在にすることがある。
前記プラグの孔５６ａ内には、ゴム筒を挿入しておいて地震時のショックを吸収するようにしてもよい。また、ピン６２を折損しないゴム製とすることでも同様の機能を達成することができる。
【００２２】  ６５は脚フレームで、スチール製丸パイプを門型に曲成したものであり、左右のものが同じものでなっている。この脚フレーム６５は、前後補強桟６６を固着して補強してあるとともに、フレーム下端に固着した底板６７を介して前記座板５７上に固定するようにしてある。
【００２３】  脚フレーム６５の左右間には、左右補強桟６９，６９が渡されている。上段の補強桟６９は、フレーム６５の上端前コーナー間を連結するものとされるとともに、脚フレーム６５間に設けられた棚材７０の前面に固着されたヒンジ板７１と回転自在に連結されている。
【００２４】  ７２は天板であり、棚材７０のフランジ７０ａ上に止め付けられている。天板７２と棚材７０とは一体とされて上段の補強桟６９を中心に図１２および図１３のように持ち上げ回転させることができる。その際の持ち上げ角を規定するストッパ７３が図１５のように上段の補強桟６９から突設されていて、天板７２が０ないし９０度持ち上がったところでそれ以上前方へ回転し過ぎないようになっている。回転し過ぎると前の生徒に危害を与えるからである。上段の補強桟６９と天板７２などの回転する側との間には、ストッパ付きのコイルバネを設けて、同バネが天板７２を持ち上げ勝手にするように構成してもよい。
【００２５】  また、図１０に仮想線で示すように、脚フレーム６５と天板７２との間をつなぐ不安定切換バネ７８を張設して、閉じ勝手になっていた天板７２を持ち上げると上段の補強桟６９の点を越えて開き勝手になり逆に開いた天板７２を閉じようとすると補強桟６９の点を越えて天板７２を閉じ勝手にするように構成してもよい。この場合、係脱片７５を省略することもある。
さらに、脚フレーム６５と棚材７０との間に圧縮ガスやバネを内蔵したバランスシリンダ７９を装架してもよい。この場合、係脱片７５を設ける場合と設けない場合とがある。
【００２６】  室内掃除のときには、机を持ち運ぶ必要がある。その際、天板７２や棚材７０が勝手に持ち上がってしまっては運ぶのに苦労するし危ないこともある。そこで、掃除のときには天板７２が勝手に持ち上がらず、地震で避難するときだけ天板７２が開くようにする必要がある。そのため、天板７２の一側に孔７４が明けられてその孔７４にＵ字形の係脱片７５の一方の突起を差し込み他方の突起を脚フレーム６５の下面に係合するようにしておく。
【００２７】  地震の時には、図１２のように係脱片７５を抜き去って落とし、係合の解けた天板７２を開くことができるようにした。天板７２が大きく手前から開くので、避難が極く簡単に行える。７６はつかまり棒で、棚材７０の底に取り付けられており、図１３のようにつかまり棒７６をつかんで降ろすことで開かれた天板７２を閉める際に利用される他に、机下に避難した際につかんで安全を確保するために利用される。天板７２は前方へ垂直に立て起こし可能とし、その状態で、脚フレーム６５の上端４個所に配備したパイプに椅子の脚を差し込むようにして脚フレーム６５上に椅子を立てた形とすることで、これら脚フレーム６５と椅子とで形成される上下空間を広い避難空間として得るようにすることもできる。
【００２８】  図１７ないし図２０に示す他の提案例は、棚材７０付き天板７２を図１７、１８のような閉止状態から図１９の開き操作を介して上方へ開き図２０のように避難のために再び閉じるようにする動作が１つの押し操作で簡単に行えるようにした開閉ロック機構を示す。
【００２９】  図１７の天板７２は、図の下側が椅子のある側で左側が椅子に座った人の左手のくる側となる天板左手前部分を示している。勿論右側に本機構を備えてもよく、また左右に機構を備えてもよい。天板７２の一部には切欠８１がコの字形に形成され、その左側一側辺にはヒンジ８２が取り付けられている。このヒンジ８２には、切欠８１内で押し操作される操作板８３とレ字形で下部に斜面状のカム面を有するロック片８４とが一体ものとして回転自在に取り付けられている。ロック片８４の外側にはウエイト８５が設けられて操作板８３が水平にバランスをとるようにされている。
【００３０】  通常時、図１７および図１８に示すように、ロック片８４が脚フレーム６５の下側にあって、天板７２が掃除などで持ち上げられても開かない状態にある。
地震時には、操作板８３を矢印Ｈのように押し下げればロック片８４が矢印Ｉのように脚フレーム６５から外されて天板７２はＪのように持ち上げることができるようになる。天板７２が持ち上がるとその下の広く高いスペースに避難をし、その際、天板７２を閉じるが、ロック片８４は矢印Ｋの方向に復帰していることになる。しかし、図２０に示すように、天板７２を矢印Ｌのように降ろすと、脚フレーム６５にロック片８４が当たって矢印Ｍのように逃げ動作することから図１８のロック状態とされる。
尚、図１０ないし１６の提案例では係脱片７５を備え、図１７ないし図２０の提案例では、操作板８３付きロック片８４を備えて、天板７２を開閉を平常時にロックする手段が構成されていたが、基本的には、これら係脱片７５やロック片８４などのロック手段を構成しないタイプ、即ち、図１０、図１１の提案例では、棚材７０付き天板７２が、左右補強桟６９のまわりに開閉自在とされたタイプ、図１７および１８の提案例では、天板７２に切欠８１がなくヒンジ８２やロック片８４のないもので左右補強桟６９のまわりに開閉自在とされたタイプのものも図１０ないし図２０に開示する発明の基本タイプとして有する。また、左右補強桟６９を開閉の中心としたが、該中心は左右補強桟６９を利用するのでなくそれ専用の回転支持パイプあるいは軸によって構成することができる。
【００３１】  図２１および図２２は学童や生徒用の机の下の空間が高く広くなって安全かつ迅速に避難できるようにしたものである。これらの図において、４００は座板で、帯長状の板材で左右一対で構成され、これら座板４００は、床壁４０１の２個所に配備した埋着プラグ４０２…に対応して開けられた通孔を通じてねじ込まれた廻し環付きのアンカーボルト４０３により脱着自在に床上に固定されるようになっている。これにより、地震による衝撃で机が盲動して被害が出るおそれがなくなり、しかも机が動かないので避難も安全確実に行われるようになる。
埋着プラグ４０２は、アンカーボルト４０３…を取り外して机を寄せ教室床の掃除をする場合に掃除具や靴などが当たって障害にならないように非突出状態に埋め込まれている。同プラグ４０２としては、ナットアンカー（本体打込み式）やケミアカル固着式ナットなどがある。尚、掃除をする場合にアンカーボルト４０３…が紛失しないように座板４００上に突設した一時置き筒内に差し入れておくようにする。
【００３２】  左右の座板４００上には、それ前後をなすように一対ずつの基筒４０５が突設され、その上部一側にはスリット４０６が形成されているとともに、スリット４０６に対応する外周には、ブラケット４０７と内外に切り換え可能な切換ストッパ４０８が設けられている。４１０は門型をなす脚フレームで、その上部と下部には左右間をつなぐ幅間連結材４１１が一体渡架されるとともに、左右各フレーム４１０の前後間には、前後間連結材４１２が渡架されて補強されている。４１３は棚材、４１４は取っ手、４１５は天板である。
【００３３】  図２２は地震に備えて机下に避難する手順を示したもので、生徒が天板４１５や棚材４１３あるいは脚フレーム４１０などを介して持ち上げることによって脚フレーム４１０は基筒４０５から持ち上げられ、棚材４１３の底面の高さがｈからＨにきたところで切換ストッパ４０８が自動的に入り、脚フレーム４１０の底を高さロックするようになる。これにより、机下避難空間は高く広いものとなるので、生徒はより自由に頭を打つことなく避難を完了することができるようになる。避難が終わると、切換ストッパ４０８を垂直を越えて戻すことで脚フレーム４１０を基筒４０５内に差し入れることができる。そのあと、切換ストッパ４０８を図２１のように脚フレーム４１０側に倒れ掛けておけば次の避難時自動ロック態勢になる。
【００３４】  図２３および２４は、従来一般的に使われている学童等の机を示すもので、同机は、地震避難用としても使われるもので、６５０はコンクリート製の床壁で、６５１はスチール製丸パイプを門型に曲成してなる脚フレームである。脚フレーム６５１は前後補強桟６５２を中段に備えるとともに下端に座キャップ６５３を嵌め込んである。これら脚フレーム６５１は左右一対設けられてその左右間には幅間補強桟６５４が上下段に一体に渡架されている。６５５は棚材でその上端のフランジを脚フレーム６５０上に挟み付けるようにして天板６５６を締付け固定してある。
【００３５】  図示のものは、例えば、新ＪＩＳ固定式５号（対象とされる参考身長：１３８〜１５１ｃｍ）の仕様に則るものを参考として示してあり、天板６５６は幅Ａが６５ｃｍ・奥行きＢが４５ｃｍとされ、脚フレーム６５１間の内幅Ｃは約５５ｃｍ、天板６５６までの高さＤは６１ｃｍとされる。また、椅子６５８は同じく５号の場合、座板６５９までの高さＥは３６ｃｍ、椅子本体６６０の全高Ｆは６５ｃｍとされる。
【００３６】  ところで、こうした従来型机は、５号であると棚材６５５以下の高さ、即ち、避難空間の高さが４８ｃｍ前後とかなり低いものとされていたため、１３８〜１５１ｃｍの身長の学童や生徒が地震のときにもぐって避難しようとしても１ｍ前後身体を屈めなければならず、避難しにくく時間もかかることになっていた。また、脚フレーム６５１間の内幅Ｃも約５５ｃｍとされて標準的な肩幅に対してもかなり幅狭感があり、避難しにくい要因となっていた。
尚、脚フレーム６５１や椅子脚には、門型で裾広がり状となったものや逆Ｔ字型になったものなど種々のものがあり、補強桟にも各種のものがある。ここでは一例を示した。以下でもこのことは同様である。
【００３７】  そのため、図２５および２６に示すような避難が楽に素早く行えるように高く幅広な地震避難用机と椅子を新規に創作して前記問題を解消した。
６６２は床壁、６６３は門型をした脚フレーム、６６４は前後補強桟、６６５は座キャップ、６６６は幅間補強桟、６６７は棚材、６６８は天板、６６９は避難取っ手であり、椅子６７１は椅子本体６７２と座板６７３を備えるとともに、足載せ台６７４を備える。
【００３８】  こうした机は、身長１３８〜１５１ｃｍの生徒を対象とする５号の場合、天板６６８は幅Ａ１を７５〜８０ｃｍとし脚フレーム６６３の内幅間Ｃ１を６５〜７０ｃｍとして、大きな生徒の肩幅を基準にその者が余裕をもってもぐり込める幅広寸法とし、奥行きＢは４５０以上に広くしてある。天板６６８の高さＤ１は、８０〜９０ｃｍと図２４のものより２０ｃｍ〜３０ｃｍ以上充分に高くしてある。椅子の座板６７３の高さＥ１も図２４の従来のものより２０〜３０ｃｍ程に充分高くして、その分、足載せ台６７４を付して乗降や足載せに便利なようにし、椅子本体６７２も同様に９０〜１００ｃｍに高くしてある。
尚、椅子の脚には突片６７５…を付して安定化するとともに脚間に底板６７６を渡して底壁６６２内の埋着プラグにねじ込まれるアンカー６７７により固定して安定化するようにしてもよい。また、机の方も座板６７８を設けてアンカーで固定するようにしてもよい。
このように天板６６８を充分に高くすることによって地震時に学童や生徒が余裕をもって素早く避難することができるようになる。
【００３９】  図２７および２８は他の提案例で、机と椅子を高くするに当たって現仕様（既設および新規製作の双方を含む）の机６８０および椅子６８１をそのまま使用してそれらに高さ補足手段を組み合わせることで図２５・２６の例のような高い机および椅子を構成する例を示している。
【００４０】  高さ補足手段は左右一対の机脚補足具６８２と椅子脚補足具６８３よりなる。机脚補足具６８２は、座板６８５の上面前後に受パイプ６８６を備えたもので左右一対からなり、座板６８５は埋着プラグ６８７にねじ込まれるアンカー６８８により床上に固定されるようになっているとともに受パイプ６８６内には従来仕様の机の脚６８９を一定の高さで受け止めて高く設定するストッパ６９０が固着されている。このストッパ６９０は図２８に示すようにボルト・ナット６９１による方式でもよくまた金属（ゴムを含む）製のパイプやロッドａを挿入する方式によることもできる（以下椅子についても同様）。ボルト・ナット式によるときは、受パイプ６８６の通孔を複数段階に設けておけば共通の受パイプ６８６で各種号数の仕様に対応できる。
【００４１】  椅子脚補足具６８３は、アンカー６８８による埋着プラグ６８７へのねじ込みにより固定できる座板６９２と、その上に固着した前後一対の受パイプ６９３とを備え、これらの左右一対間の前側に足載せ台６９４を固定してある。受パイプ６９３内にはストッパ６９５が固定されている。これにより、天板６９６の高さＤ１は５号で８０〜９０ｃｍ程度に高くなり、椅子６８１の座版６９７の高さＥ１も５５〜６５ｃｍ前後に高いものとなって、避難しやすい机を、既存のものをそのまま使って安く簡単に対応できるようになる。
【００４２】  図２９は他の提案例を示すもので、机と椅子の組み合わせを横断面にしてみた平面概要図である。７００は机、７０１は天板、７０２は脚、７０３は椅子で、７０４は椅子脚を示し、椅子７０３の脚７０４と机の脚７０２とは回転座板７０５でつながれており、避難時には、椅子脚７０４を回すことで机７００の手前が広くなってもぐり込みやすくなるものである。
【００４３】  図３０は左右の脚フレーム７０８と天板７０９および棚材７１０とでなる避難可能な机において、脚フレーム７０８を、パイプを３段階に折り曲げて矩形枠状に形成して強いフレームとしたもので、中段に前後間補強桟７１１を付け加えることでより強固な机となる。この机は高いタイプのものであるが、従来のように低いタイプにも適用できる。脚フレーム７０８には底座板を取り付けることがある。
【００４４】  図３１は他の提案例を示し、天板７１３・棚材７１４および脚フレーム７１５よりなる机についてパイプを１段階折り曲げたものの一対を端部溶接して矩形枠状の脚フレーム７１５とすることで強度のある机としたものである。７１６は座板である。
【００４５】  図３２も同様に強度のある机としたもので、丸パイプを４段階内回りに折り曲げて脚フレーム７１８を形成したもので、その端部を介して棚材７１９の一端を固定支持するようにしてもよい。
【符号の説明】
【００４６】  １…座板  ２…床壁  ３…埋着プラグ  ６…アンカーボルト  １０，１１…脚  １４…棚材  １５…天板  １６…把持バー。
【図１】
0005526325.tif 000002
【図２】
0005526325.tif 000003
【図３】
0005526325.tif 000004
【図４】
0005526325.tif 000005
【図５】
0005526325.tif 000006
【図６】
0005526325.tif 000007
【図７】
0005526325.tif 000008
【図８】
0005526325.tif 000009
【図９】
0005526325.tif 000010
【図１０】
0005526325.tif 000011
【図１１】
0005526325.tif 000012
【図１２】
0005526325.tif 000013
【図１３】
0005526325.tif 000014
【図１４】
0005526325.tif 000015
【図１５】
0005526325.tif 000016
【図１６】
0005526325.tif 000017
【図１７】
0005526325.tif 000018
【図１８】
0005526325.tif 000019
【図１９】
0005526325.tif 000020
【図２０】
0005526325.tif 000021
【図２１】
0005526325.tif 000022
【図２２】
0005526325.tif 000023
【図２３】
0005526325.tif 000024
【図２４】
0005526325.tif 000025
【図２５】
0005526325.tif 000026
【図２６】
0005526325.tif 000027
【図２７】
0005526325.tif 000028
【図２８】
0005526325.tif 000029
【図２９】
0005526325.tif 000030
【図３０】
0005526325.tif 000031
【図３１】
0005526325.tif 000032
【図３２】
0005526325.tif 000033